(57)【特許請求の範囲】
【請求項１】
着座者の身体を受ける板状で合成樹脂製のインナーシェルと、このインナーシェルを支持するため当該インナーシェルを挟んで着座者と反対側に配置された板状のアウターシェルとを備えており、インナーシェルをアウターシェルに取り付けてなる座又は背もたれであって、
前記インナーシェルは、アウターシェルを挟んで着座者の側に位置する本体部と、アウターシェルの少なくとも左右側縁部の裏側に折り返しできるように本体部の少なくとも左右両側縁に屈曲自在な蝶番部を介して一体に設けた抱持部とから成っており、このインナーシェルの本体部と抱持部とでアウターシェルの縁部を挟み付けた状態で、本体部又は抱持部若しくは両方をアウターシェルの縁部に固定している、
椅子の座又は背もたれ。
【請求項２】
前記インナーシェルにおける本体部の表面に、クロス等の張地で覆われたクッション材が配置されており、前記張地は、その縁部がアウターシェルの縁部に重なるようにインナーシェルにおける抱持部の裏側まで延びている、
請求項１に記載した椅子の座又は背もたれ。
【請求項３】
前記インナーシェルの抱持部とアウターシェルの縁部との２つの部分は、一方の部分に設けた係合爪を他方の部分に設けた係合穴に弾性に抗して嵌め入れることによって互いに固定されている、
請求項１又は請求項２に記載した椅子の座又は背もたれ。
【発明の詳細な説明】
【０００１】
【発明の属する技術分野】
本発明は、椅子の座又は背もたれに関するものである。
【０００２】
【従来の技術】
例えば椅子において、その背もたれや座を、合成樹脂でシェル状に形成されたインナーシェルと、合成樹脂製又は金属製のアウターシェルに分離構成し、インナーシェルの表面にクッション材を取付けることが行われている。
この場合、インナーシェルとアウターシェルとは、ねじで固定したり、一方の部材に設けた係合爪を他方の部材に設けた係合穴に嵌め入れる係合手段で固定したりしている。
【０００３】
【発明が解決しようとする課題】
しかし、従来は、インナーシェルの縁部をアウターシェルの縁部に重ね合わせて、それらの縁部を互いに固定しているに過ぎないのが殆どであるため、固定強度が弱いという問題があった。
【０００４】
また、椅子の座及び背もたれには、一般にクロス等の張地で覆われたクッション材を設けているが、従来のインナーシェルの構造では、張地の周縁が露出しないように、当該張地の周囲をクッション材の裏側に巻き込んでおり、その状態で、タッカー（針）でインナーシェルに固定したり、接着剤で接着したり、或いは粘着テープで固定したりしており、このため、張地の取付け作業にも手間がかかるという問題があった。
【０００５】
本発明は、これらの問題を解消した椅子の座又は背もたれを提供するることを目的とするものである。
【０００６】
【課題を解決するための手段】
本発明に係る座又は背もたれは、着座者の身体を受ける板状で合成樹脂製のインナーシェルと、このインナーシェルを支持するため当該インナーシェルを挟んで着座者と反対側に配置された板状のアウターシェルとを備えており、インナーシェルをアウターシェルに取り付けてなるものである。
【０００７】
そして、構成の特徴として、前記インナーシェルは、アウターシェルを挟んで着座者の側に位置する本体部と、アウターシェルの少なくとも左右側縁部の裏側に折り返しできるように本体部の少なくとも左右両側縁に屈曲自在な蝶番部を介して一体に設けた抱持部とから成っており、このインナーシェルの本体部と抱持部とでアウターシェルの縁部を挟み付けた状態で、本体部又は抱持部若しくは両方をアウターシェルの縁部に固定している。
【０００８】
クッション材を設ける場合は、請求項２に記載したように、クッション材は、インナー部材のうち抱持部を除いた部位の表面に配置し、クッション材を覆う張地は、インナーシェルにおける抱持部の裏側まで延ばせば良い。
【０００９】
インナーシェルとアウターシェルとを固定する手段としては、ねじやスナップ式のフックなども使用できるし、請求項３に記載したように、係合爪と係合穴とからなる係合手段も採用できる。係合爪と係合爪とからなる係合手段を採用しても良い。
【００１０】
椅子の背もたれや座では、インナーシェルの抱持部は左右両側縁のみに設ければ足りる。強度を要するものの場合には、抱持部をインナーシェルの全周に設けても良い。
【００１１】
【作用・効果】
本発明によると、インナーシェルの縁部でアウターシェルの縁部が表裏から挟まれているため、インナーシェルとアウターシェルとの接触面積を従来に比べて格段に増大することができ、その結果、インナーシェルとアウターシェルとの固定強度をアップすることができる。
【００１２】
請求項２において、インナーシェルの抱持部をアウターシェルの裏面に重なるように折り返すと、張地の縁はインナーシェルの抱持部とアウターシェルとの間に挟み込まれ、張地の縁が外部に露出することはない。このため張地の縁が美麗に処理されて体裁が良い。また、インナーシェルの抱持部も張地で覆われて外部に露出することはなく、この面からも体裁が良い。
【００１３】
更に、張地の縁をインナーシェルの抱持部とアウターシェルとに挟み固定できるため、張地は必ずしもインナーシェルにタッカーや接着剤、接着テープ等で固定する必要はない。このため、張地の取付け作業に要する手間を著しく軽減すること、及び、椅子を廃棄した後に張地を簡単に取り外すことが可能になる。
【００１４】
請求項３のように、インナーシェルとアウターシェルとを係合爪と係合穴とからなる係合手段で固定すると、インナーシェルとアウターシェルとの固定作業をワンタッチ的に行え、しかも、他の部材を必要としないため部材管理の手間も軽減できる利点がある。
【００１５】
【発明の実施形態】
次に、本発明の実施形態を図面に基づいて説明する。
【００１６】
(1).第１実施形態（図１〜図10）
図１〜図10では、本発明を椅子に適用した第１実施形態を示している。図１は椅子の右側面図、図２は図１のII−II視平断面図であり、先ず、これら図１及び図２に基づいて椅子の大まかな構造を説明する。
≪概要≫
【００１７】
椅子は、脚部１と、座受け体２と、座３と、背もたれ４とを備えている。脚部１は、平面視で放射状に延びる枝杆を備えた接地体５と、接地体５の中央部から直立したガスシリンダ（脚支柱）６とを備えている。ガスシリンダ６は、摺動自在に嵌まり合った上下２本のカバー７で覆われており、その上端に座受け体２が固定されている。
【００１８】
座３は、アウター部材８とインナーシェル９とクッション材10とから成っており、アウター部材８は金属板製のベース体11を備えている。このベース体11に設けた前ブラケット11ａを、左右方向に延びる第１軸12によって座受け体２の前部に取付けている。
【００１９】
他方、背もたれ４は、座受け体２の後部から斜め上向きに延びる左右一対のアーム13に取付けられており、アーム13の前端は、左右方向に延びる第２軸14によって座受け体２の左右側面に取付けられている。そして、アーム13の中途部と、座３のアウター部材８におけるベース体11の後端に設けた後ブラケット片11ｂとが、左右方向に延びる第３軸15によって回動自在に連結されている。
【００２０】
アーム10にはパイプ製又は棒材製のジョイント16が後方から挿入されており、このジョイント16を介して背もたれ４がアーム13に取付けられている。図２に簡略して示すように、左右のジョイント16は水平状の横バー17で連結されている。
【００２１】
第１軸９を嵌めるために座受け体２に形成した軸受け穴18は略前後方向に伸びる長穴になっており（軸受け穴18にはブッシュ19を挿入している）、かつ、第１軸９はロッキング用のばね20で支持されている。したがって、椅子に腰掛けた人が背もたれ４にもたれ掛かると、背もたれ４はばね20に抗して第２軸14を中心に後傾動し、且つ、座３は、ばね20に抗して後退動しつつ第１軸12を中心に緩い角度で後傾動する。
【００２２】
図１に２点鎖線で示すように、椅子は肘当て21を備えているが、本発明との関連はないので説明は省略する。また、座受け体２には背もたれ４の姿勢切換機構22を設けている。
【００２３】
前記姿勢切換機構22は、背もたれ４を後傾動自在なフリー状態と、直立した状態に保持された第１ロック状態と、半分程度後傾した状態に保持された第２ロック状態と、後傾し切った状態に保持された第３ロック状態とに切換えできるものであるが、本願発明との直接の関連はないので詳細な説明は省略する。
【００２４】
図２において、符号23で示すのはロッキング用の補助ゴムであり、符号24で示すのはガスシリンダ６を操作するためのレバーである。
【００２５】
≪背もたれ４の概要≫
次に、背もたれ４について図３〜図10に基づいて説明する。本実施形態では、本願発明は背もたれ４に適用されている。
【００２６】
図３は正面図、図４は背もたれ４のアウターシェル26を正面方向から見た斜視図、図５はアウターシェル26を裏側から見た斜視図、図６は図３のVI−VI視断面図、図７はアウターシェル26の正面図、図８は背もたれ４を構成するインナーシェル27及び裏カバー28の斜視図、図９のうち (A)は図３の IXA-IXA視断面図、 (B)は図７の IXB-IXB視断面図、図10のうち (A)は図３の XA-XA視部分平断面図、 (B)は図３の XB-XB視部分平断面図、 (C)は図７の XC-XC視平断面図である。
【００２７】
背もたれ４は、例えば図６に示されているシェル状のアウターシェル26と、同じくシェル状のインナーシェル27と、クッション材29と、例えば図１に示す裏カバー28とを備えている。また、図10(A)(B)に示すように、クッション材29の表面は布等の張地30で覆われている。アウターシェル26、インナーシェル27、裏カバー28はそれぞれ合成樹脂製である。
【００２８】
以下、各部位を詳述する。
≪背もたれ４のアウターシェル26≫
図4,5,7 及び図１に示すように、アウターシェル26は、インナーシェル27を裏側から支持する基部26ａと、その下端から斜め下向きに延びる足部26ｂとから成っている。足部26ｂの下端部には、ジョイント16に部分的に重なる断面円弧状の嵌合部31が形成されている。
【００２９】
アウターシェル26の基部26ａは平面視で外向き凸状に緩く湾曲している。基部26ａの左右両縁部には、インナーシェル27が重なる支持部26ｃを形成している。支持部26ｃは平面視台形状に形成されている。
また、支持部26ｃには、前向きに開口した３個の第１凹所33と後ろ向きに開口した２個の第２凹所34とが交互に形成されており、第１凹所33の底板には第１係合穴35が、第２凹所34の底板には第２係合穴36がそれぞれ形成されている。
【００３０】
アウターシェル26のうち左右支持部26ｃの間の部位の前面には、縦横に交叉して延びる多数のリブ37を形成している。
例えば図５や図9(A)から容易に理解できるように、アウターシェル26において、基部26ａの背面と足部26ｂとは段違い状になっている（その段差面を符号38で示す）。そして、基部26ａの前面には、ジョイント16が嵌まる左右２本の筒部39を形成している。この筒部39は前記段差面38から下向きに開口している。
【００３１】
図９に示すように、筒部39の箇所にはねじ挿入穴40が空けられており、このねじ挿入穴40からねじ41をジョイント16にねじ込むことにより、アウターシェル26をジョイント16に固定している。ねじ41の頭は円形リブ42で囲われている。この円形リブ42は強度アップにも寄与している。
【００３２】
≪背もたれ４のインナーシェル27≫
インナーシェル27は、アウターシェル26の基部26ａよりも一回り大きい大きさである。また、図9(A)に示すように側面視では前向き凸の形状であり、図６に示すように平面視では前向き凹の形状である。
【００３３】
図6,8,10に示すように、インナーシェル27は、アウターシェル26の前面に位置する本体部27ａを備えており、この本体部27ａの左右両側縁に、アウターシェル26の裏側に向けて折り返しできる抱持部27ｂを一体に設けている。例えば図8(B)で、抱持部27ｂを折り返す際の折り目（蝶番部）43を示している。
【００３４】
図10に示すように、アウターシェル26の左右両端とインナーシェル27の折り目43との間に隙間が空いており、この隙間の間隔は下方に行くに従って大きくなっている（この点は図３及び図７から容易に理解できる）。
【００３５】
また、図８や図10に示すように、インナーシェル27における本体部27ａの左右両縁部には、アウターシェル26の第２係合穴36に前方から嵌まる第２係合爪44を一体に設けている。また、インナーシェル27の抱持部27ｂには、アウターシェル26の第１係合穴35に後方から嵌まる第１係合爪45を一体に設けている。
【００３６】
第２係合爪44は左右一対ずつが１セットになっており、図10(B) に示す状態で第１係合穴35に係合する。第２係合爪44には突起44ａを一体に設けている。従って、第２係合爪44を第１係合穴35に嵌め入れた状態で、一対の突起44ａを互いの間隔が狭まるようにペンチやプライヤ（図示せず）で挟むと、第２係合爪44を第１係合穴36から簡単に抜き外すことができる。
【００３７】
図8(B)に示すように、インナーシェル27における抱持部27ｂの上端と下端とには、当該抱持部27ｂを折り返した状態でインナーシェル27の本体部27ａに重なるリブ46を設けている。このリブ46の存在により、折り目43が正確に規定される。また、リブ46によってアウターシェル26の支持部26ｃが上下から覆われるため、体裁も良い。
【００３８】
図9(A)に示すように、インナーシェル27における本体部27ａの上部背面には、アウターシェル26における最上段の補強リブ37の上方に位置する水平リブ47が形成されている。この水平リブ47は、インナーシェル27が過度に凹み変形することを阻止するストッパーの役割と、インナーシェル27とアウターシェル26の間の隙間を塞ぐカバーの役割を果たしている。
【００３９】
インナーシェル27とアウターシェル26とはその左右両縁部のみで互いに固定されているに過ぎず、かつ、インナーシェル27の後方には空間が空いている。このため、着座した人が背もたれ４にもたれ掛かると、インナーシェル27は引き延ばされるように撓み変形して人の背中にフィットする。背もたれ４がロッキング用ばね20に抗して後傾動することと、インナーシェル27自体が弾性変形することとの相乗効果により、快適なロッキング状態を得ることができる。
【００４０】
図8(A)に示すように、インナーシェル27には、撓み変形を容易ならしめるため空気抜きの穴48が空いている。
インナーシェル27の弾性変形が許容されるように、インナーシェル27とアウターシェル26との間には上下に開口した空間が空いている。このため、両者の間の空間に物を落とす虞がある。そこで、インナーシェル27の水平リブ47までの深さを一般成人の指が届く程度の深さにしており、これにより、たとえ空間内に物が落ちても簡単に取り出すことができる。
【００４１】
実施形態のように、アウターシェル26における本体部27ａの左右両縁部に前方と後方から係合爪44,45 を嵌め込む構成にすると、インナーシェル27の取付け強度をより向上できる利点がある。また、実施形態のように係合爪44,45 と係合穴35,36 とから成る係合手段を採用すると、組立が簡単である。
【００４２】
≪裏カバー28≫
図１に示すように、裏カバー28はアウターシェル26の足部26ｂに裏側から重なる形状になっており、下端部には、ジョイント16に下方から嵌まる半円状の嵌合部49を形成している。
【００４３】
図１及び図７から容易に理解できるように、アウターシェル26における足部26ｂの嵌合部31と裏カバー28の嵌合部49とは、互いに重なり合うことによって円筒状を成している。そして、これら両嵌合部31,49 の先端には、アーム13に嵌まり込む小径部31a,39a を形成している。このため、アウターシェル26と裏カバー５とは、アーム13の箇所で離反不能に保持されている。
【００４４】
また、図９に示すように、裏カバー28の上端縁は、アウターシェル26における基部26ａの下端縁に形成された段部50に嵌まっている。この段部50の存在により、裏カバー28は、アウターシェル26の背面と同一面を成す状態に装着できる。
【００４５】
更に、図10(C) に示すように、アウターシェル26における足部26ｂの左右側縁には上下長手の爪51を形成しており、この爪51と、裏カバー28の左右側縁に形成した溝52とを嵌合させている。このため、アウターシェル26が多少弾性変形しても裏カバー28が外れることはない。
【００４６】
≪その他≫
背もたれ４において、クッション材29を覆う張地30の縁はインナーシェル27に接着しておくのが好ましい。その場合、張地30の周縁は抱持部27ｂとアウターシェル26との間に隠れているので、周縁を美麗に処理する必要はなく、単にインナーシェル27に接着等しておくだけでよい。このためクッション材29の取付け作業が容易である。なお、クッション材29はインナーシェル27に接着（又は一体成形）しても良いし、単に重ねただけでも良い。
【００４７】
(2).第２実施形態（図11〜図18）
図11〜図18では第２実施形態を示している。これも椅子の背もたれ４に適用したものであり、図11は大雑把な分離斜視図、図12は分離平面図、図13のうち (A)は図２の背面図、 (B)は (A)の B-B視断面図である。本実施形態の背もたれ４は、アウターシェル26と、その前面に配置したインナーシェル27と、インナーシェル27の前面に配置したクッション材29と、クッション材29の表面を覆う布等の張地30とを備えている。
【００４８】
アウターシェル26とインナーシェル27とは第１実施形態と同様に合成樹脂製である。アウターシェル26は、前向き凹状に形成された基部26ａと、その下方に連接した足部26ｂとから成っている。アウターシェル26における基部26ａの左右両縁部には、円形の第１係合穴54と角形の第２係合穴55とが上下方向に沿って交互に形成されている。
【００４９】
インナーシェル27における本体部27ａの左右両側端には、薄肉状の折り目（蝶番部）43を介して抱持部27ｂが一体に連接されている。インナーシェル27における本体部27ａの左右両縁部には、アウターシェル26の第２係合穴55に嵌まり合う突起56が形成されており、他方、抱持部27ｂの後面には、アウターシェル26の第１係合穴54に対応した茸状の係合爪57を突設している。係合爪57は二つ割状に形成されているが、三つ割状等の他の形状でもよい。
【００５０】
インナーシェル27には、その弾性変形を容易ならしめるために左右横長のスリット58が複数本並列状に形成されている。
クッション材29は、インナーシェル27に単に重ねただけでも良いし、インナーシェル27に接着剤で接着したりインサート成形法によって一体に固着したりしても良い。張地30は、上下寸法及び左右幅寸法ともインナーシェル27よりも大きい寸法に設定している。なお、クッション材29を張地30にインサート成形等によって固着しておいても良い。
【００５１】
図14は背もたれ４の背面図、図15は図14の XV-XV視断面図、図16は図14の XVI-XVI視断面図、図17のうち (A)は図14のXVII−XVII視断面図、 (B)は (A)の B-B視断面図、図18のうち (A)は図14の XVIII-XVIII視断面図、 (B)は張地30の折り返し状態を示す斜視図である。
図18に示すように、張地30の上下両縁部30ａは、インナーシェル27の背面に折り返されて、インナーシェル27とアウターシェル26とで挟み固定されている。
【００５２】
張地30の左右両縁部30ｂはインナーシェル27における抱持部27ｂの裏面に重なっており、その状態でインナーシェル27をアウターシェル26に重ね合わせて、図17に示すように、インナーシェル27の突起56をアウターシェル26の第２係合穴55に嵌め入れ、次いで、図16に示すように抱持部27ｂを折り返して、インナーシェル27の係合爪57をアウターシェル26の第１係合穴54に弾性に抗して嵌め入れるという手順により、インナーシェル27はアウターシェル26に離脱不能に取付けられる。
【００５３】
張地30の左右両縁部30ｂはインナーシェル27の抱持部27ｂとアウターシェル26との間に挟み固定されるが、この場合、抱持部27ｂの折り返しに伴って張地30が引っ張られるため、張地30はピンと張った状態に保持される。張地30の縁は粘着テープ等でインナーシェル27に仮固定しておいても良い。
【００５４】
アウターシェル26の左右縁部とインナーシェル27の本体部27ａとは若干の幅寸法Ｗ（図16(A) 参照）で重なり合っている。換言すると、背要インナーシェル27における本体部27ａの左右縁部が背要アウターシェル26の前面に面接触しており、このため、両部材26,27 の摩擦が大きくなって固定強度を向上できる。
【００５５】
なお、係合爪57の頭が嵌まる逃がし穴をインナーシェル27に空けておけば、インナーシェル27の本体部27ａがアウターシェル26に重なる面積を大きくできる。インナーシェル27の弾性変形を許容するため、両部材26,27 の間に隙間を開けておくのが好ましいが、インナーシェル27を変形させる必要がない場合や、アウターシェル26が弾性変形する場合は、インナーシェル27を全体にわたってアウターシェル26に密着させても良い。
【００５６】
例えば図18(B) から容易に把握できるように、張地30の上下両縁部30ａと左右両縁部30ｂとは共に裏側に折り返されるため、両シェル26,27 のコーナー近傍では張地30の側縁30a,30b が２枚重ねの状態になっている（２枚重ねの状態は図13(B) に一点鎖線で示している）。
【００５７】
以上の説明から容易に理解できるように、張地30をインナーシェル27の裏側に折り返してから、インナーシェル27の抱持部27ｂをアウターシェル26の裏側に折り返して突起56及び係合爪57を係合穴54,55 に嵌め入れるという簡単な作業により、背もたれ４を組み立てることができる。また、椅子を廃棄した後に張地30を分離する作業も容易である。
【００５８】
実施形態のように突起56とこれが嵌まる第１係合穴54を設けると、インナーシェル27とアウターシェル26との位置合わせが容易である。また、人が背もたれ４にもたれ掛かった場合、インナーシェル27はその幅寸法を縮めるように変形するが、このインナーシェル27の変形による引張力が突起56で支持されることにより、係合爪57に外力が作用することが抑制されるため、係合爪57を大型化することなく取付け強度を保持できる。
【００５９】
ところで、人が背もたれ４にもたれ掛かると係合爪57にはこれを左右方向に倒すような外力が作用するため、係合爪57を平面視で鉤状に形成していると、背もたれ４への人のもたれ掛かりによってインナーシェル27が変形するたびに係合爪57を第１係合穴54から抜け出すように作用するが、本実施形態のように係合爪57を側面視で鉤状に形成すると、インナーシェル27が縮み変形しても係合爪57を第１係合穴54から抜け出すようには殆ど作用しないので、係合爪57の抜けや破損を防止して両シェル26,27 の固定強度を向上できる。
【００６０】
なお、突起56や係合爪57、係合穴54,55 の形状や個数、位置などは必要に応じて適宜変更できる。また、抱持部27ｂの幅寸法も任意に設定できる。
【００６１】
(3).第３実施形態及び第４実施形態（図19）
図19(A) では第３実施形態を示している。この実施形態では、インナーシェル27の左右縁部に後ろ向き突設した係合爪59を、アウターシェル26の支持部26ｂに形成した係合穴60に嵌め入れ係合している。係合爪59には割溝61を設けており、この割溝61に、インナーシェル27の抱持部27ｂに設けた突起62を嵌め入れている。インナーシェル27における抱持部27ｂの先端はアウターシェル26の側壁26ｄに重ね合わせている。アウターシェル26の支持部26ｂにはリブ64を設けている。
【００６２】
この第３実施形態の構成では、係合爪59の変形が抱持部27ｂの突起62によって阻止されるため、締結強度をより向上できる。なお、本実施形態においても、補強と位置決めのため、第２実施形態における突起56と第１係合穴54とを設けても良い。
【００６３】
図19(B) では第４実施形態を示している。この実施形態では、インナーシェル27の本体部27ａに、係合穴65が開いた筒部66を後ろ向きに突設し、この筒部66をアウターシェル26に設けた穴67に嵌め入れ、更に、インナーシェル27の抱持部27ｂに、前記係合穴65に係合する係合爪68を設けている。
【００６４】
この第４実施形態では、インナーシェル27の筒部66がアウターシェル26の穴67に嵌まっていることにより、両シェル26,27 はずれ不能に位置決めされる。
【００６５】
(4).第５実施形態及び参考例（図20）
図20のうち (A)では第５実施形態を示している。この実施形態では、アウターシェル26の側縁を平断面階段状に形成する一方、インナーシェル27に２条の折り目43を形成し、インナーシェル27をコ字状に折り返している。そして、インナーシェル27の本体部27ａと抱持部27ｂとにそれぞれ第１及び第２の係合爪69,70 を形成し、これらをアウターシェル26に形成した第１及び第２の係合穴71,72 にそれぞれ嵌め入れている。
【００６６】
また、インナーシェル27における抱持部27ｂの後面に、張地30の縁部を押えるための押え板73を重ね合わせ、押え板73を介して張地30の縁部をアウターシェル26に押えている。
【００６７】
図20(B) では参考例を示しており、この参考例では、張地30の縁部をインナーシェル27の抱持部27ｂと本体部27ａとの間に挟み固定し、抱持部27ｂをアウターシェル26のリブ74でインナーシェル27の本体部27ａに押え固定している。アウターシェル26とインナーシェル27との固定は、係合爪75と係合穴76とから成る係合手段によっている。
【００６８】
(5).第６実施形態（図21）
図21では座３に適用した第６実施形態を示している。この例では、座３を構成するインナーシェル９の本体部9aに係合爪77を突設し、この係合爪77を、アウターシェル８に形成した通孔（図示せず）を介して抱持部9bの係合穴（図示せず）に嵌め入れ係合している。係合爪77の頭が抱持部9bの下方に露出するが、座３の下面は人目に触れないので問題はない。符号10ａは張地を示す。
【図面の簡単な説明】
【図１】本発明を適用した椅子の側面図である。
【図２】図１のII−II視平断面図である。
【図３】背もたれの正面図である。
【図４】背もたれのアウターシェルを正面方向から見た斜視図である。
【図５】背もたれのアウターシェルを裏側から見た斜視図である。
【図６】図３のVI−VI視断面図である。
【図７】背もたれのアウターシェルの正面図である。
【図８】背もたれのインナーシェル及び裏カバーの斜視図である。
【図９】(A)は図３の IXA-IXA視断面図、 (B)は図７の IXB-IXB視断面図である。
【図10】(A)は図３の XA-XA視部分平断面図、 (B)は図３の XB-XB視部分平断面図、 (C)は図７の XC-XC視平断面図である。
【図11】第２実施形態の分離斜視図である。
【図12】分離した状態の平面図である。
【図13】図12の背面図である。
【図14】組立てた状態の背面図である。
【図15】図14のXV-XV 視断面図である。
【図16】(A)は図14のXVI −XVI 視断面図、 (B)は (A)の B-B視断面図である。
【図17】図14のXVII-XVII 視断面図である。
【図18】(A)は図14のXVIII −XVIII 視断面図、 (B)は (A)の B-B視断面図である。
【図19】第３実施形態及び第４実施形態の要部平断面図である。
【図20】第５実施形態及び参考例の要部平断面図である。
【図21】第６実施形態の正断面図である。
【符号の説明】
３  椅子の座
４  椅子の背もたれ
26  背もたれのアウターシェル
27  背もたれのインナーシェル
27ａ  本体部
27ｂ  抱持部
29  クッション材
30  張地
35,36   係合穴
43  折り目
44,45   係合爪
【図１】
0003595953.tif 000002
【図２】
0003595953.tif 000003
【図３】
0003595953.tif 000004
【図４】
0003595953.tif 000005
【図５】
0003595953.tif 000006
【図６】
0003595953.tif 000007
【図７】
0003595953.tif 000008
【図８】
0003595953.tif 000009
【図９】
0003595953.tif 000010
【図１０】
0003595953.tif 000011
【図１１】
0003595953.tif 000012
【図１２】
0003595953.tif 000013
【図１３】
0003595953.tif 000014
【図１４】
0003595953.tif 000015
【図１５】
0003595953.tif 000016
【図１６】
0003595953.tif 000017
【図１７】
0003595953.tif 000018
【図１８】
0003595953.tif 000019
【図１９】
0003595953.tif 000020
【図２０】
0003595953.tif 000021
【図２１】
0003595953.tif 000022